(57)【要約】【課題】任意の収容小ポケットを簡単に切離せ、見出しを任意の位置に設定でき、複数のファイルが重なる場合でも、後ろがわのファイルの見出しが視認でき、使い勝手に優れ、一枚のシート基材から簡単に製造でき、構成が簡素で、量産に適し、低廉で、経済的なファイルを提供する。【解決手段】ファイル本体Ｂとシート押え付見出し部Ａとを備え、シート押え付見出し部Ａは、見出し部本体とシート押え片３とを有し、シート押え片３は、表シート１０の他方の側縁部分の表面がわに配置し、見出し部本体は、表片１及び裏片２の一方の側縁部分と底縁部分に溶着部５を形成し、表片１と裏片２に複数の切込線７を配し、切込線７の上がわ端縁部分に溶着部５を設けて、複数の収容小ポケット６を設け、切込破線８を設けて、任意の収容小ポケット６を切離せるよう構成する。【選択図】図１
2008207525.tif 000002
【特許請求の範囲】
【請求項１】
略重合可能な表シート及び裏シートの一方の側縁部分と底縁部分の少なくとも一部とを夫々連設してなるファイル本体と、このファイル本体の裏シートの他方の側縁部分に連設されるシート押え付見出し部とを備えたファイルであって、前記シート押え付見出し部は、略細長帯板状の表片の他方の側縁に折曲線を介して略細長帯板状の裏片を連設すると共に、裏片を表片の裏面がわに折返すようにして形成される見出し部本体と、表片の一方の側縁に連設される可撓性を備えたシート押え片とを有し、シート押え片は、表シートの他方の側縁部分の表面がわに配置されるように形成し、前記見出し部本体は、表片及び裏片の一方の側縁部分と底縁部分に、適宜溶着手段による溶着部を形成し、更に、表片と裏片の底縁部分に対して略平行となるような複数の切込線を所定間隔毎に配すると共に、この切込線の上がわ端縁部分夫々に適宜溶着手段による溶着部を設けることにより、見出し小片が夫々収容可能となるような複数の収容小ポケットを設け、この複数の収容小ポケットの一方の側縁部分に沿って切込破線を設け、この切込破線を利用して任意の収容小ポケットを切離せるように構成したことを特徴とするシート押え付見出し部を有するファイル。
【請求項２】
シート押え片の一方の側縁下部を斜めにカットするような傾斜逃縁としたことを特徴とする請求項１記載のシート押え付見出し部を有するファイル。
【発明の詳細な説明】
【技術分野】
【０００１】
本考案は、例えば、表シートと裏シートの一方の側縁部分と底縁部分を夫々連設（或いは、溶着や接着）してなる合成樹脂製のファイル本体に、シート押え付見出し部を設けたもので、シート押えは、ファイル本体の表シート（他方の側縁部分）を表面がわから押えることができ、見出し部は、見出し小片が夫々収容可能となるような複数の収容小ポケットを設けると共に、任意の収容小ポケットを切離すことができるように工夫したシート押え付見出し部を有するファイルに関するものである。
【背景技術】
【０００２】
従来、この種のファイルとしては、例えば、本願発明者が既に考案した特許文献１に示すようなシート押え機能付見出し装置を固着したファイルが開示されている。
これは、略重合可能な表シートと裏シートの一方の側縁部分と底縁部分の少なくとも一部とを夫々連設してなるファイルの裏シートの他方の側縁部分に、適宜固着手段を介してシート押え機能付見出し装置を固着したもので、シート押え機能付見出し装置は、略細長帯板状の表片と、この表片の他方の側縁に折曲線を介して連設されると共に、表片の裏面がわに折返される略細長帯板状の裏片と、表片の一方の側縁に折目線を介して連設される可撓性を備えたシート押え片とを有し、表片の一方の側縁部分及び表片の底縁部分に於いて、表片と裏片を適宜溶着手段等を介して溶着することにより、見出しとなる差込片が差込収容可能な収容ポケットを形成し、裏片の一部を裏シートの他方の側縁部分に適宜固着手段を介して固着すると共に、シート押え片が表シートの他方の側縁部分の表面がわに配置されるように構成したものである。
【０００３】
【特許文献１】実用新案登録第３１１７２７８号公報（図２）
【発明の開示】
【発明が解決しようとする課題】
【０００４】
ところが、前述のようなファイルにあっては、複数のファイルが重なるような場合に、後ろがわのファイルの見出し部分が視認できない難点があった。
また、シート押え片の下部が折れ曲がり易い難点や、表シートを大きく開き難い等の難点があった。
そこで、本発明は、前述の如き難点等を解消できるようにするのは勿論のこと、更に、構成が簡素で、量産に適し、経済的で、使い勝手が良いシート押え付見出し部を有するファイルを提供すべく創出されたものである。
【課題を解決するための手段】
【０００５】
しかして、前述の如き課題を達成すべく、請求項１記載のシート押え付見出し部を有するファイルにあっては、略重合可能な表シート１０及び裏シート１１の一方の側縁部分と底縁部分の少なくとも一部とを夫々連設してなるファイル本体Ｂと、このファイル本体Ｂの裏シート１１の他方の側縁部分に連設されるシート押え付見出し部Ａとを備えたファイルであって、前記シート押え付見出し部Ａは、略細長帯板状の表片１の他方の側縁に折曲線４を介して略細長帯板状の裏片２を連設すると共に、裏片２を表片１の裏面がわに折返すようにして形成される見出し部本体と、表片１の一方の側縁に連設される可撓性を備えたシート押え片３とを有し、シート押え片３は、表シート１０の他方の側縁部分の表面がわに配置されるように形成し、前記見出し部本体は、表片１及び裏片２の一方の側縁部分と底縁部分に、適宜溶着手段による溶着部５を形成し、更に、表片１と裏片２の底縁部分に対して略平行となるような複数の切込線７を所定間隔毎に配すると共に、この切込線７の上がわ端縁部分夫々に適宜溶着手段による溶着部５を設けることにより、見出し小片が夫々収容可能となるような複数の収容小ポケット６を設け、この複数の収容小ポケット６の一方の側縁部分に沿って切込破線８を設け、この切込破線８を利用して任意の収容小ポケット６を切離せるように構成する手段を採用した。
【０００６】
また、請求項２記載のシート押え付見出し部を有するファイルにあっては、シート押え片３の一方の側縁下部を斜めにカットするような傾斜逃縁３ａとする手段を採用した。
【発明の効果】
【０００７】
従って、請求項１のシート押え付見出し部を有するファイルによれば、任意の収容小ポケット６をファイル本体Ｂから簡単に切離せるようになり、見出し小片を収容小ポケット６に収容させることで形成される見出しを任意の位置に設定でき、複数のファイルが重なるような場合であっても、後ろがわのファイルの収容小ポケット６内の見出し小片が視認できるようになり、使い勝手の優れたファイルとなる。
しかも、一枚のシート基材から簡単に製造できるようになり、構成が簡素で、量産に適し、低廉に提供できるようになり、経済的なファイルとなる。
加えて、シート押え片３によって、ファイル本体Ｂの表シート１０（他方の端縁部分）を表面がわから確実に押えることができるようになり、表シート１０が不意の外力等によって簡単に開いてしまうようなことがなくなり、ファイル本体Ｂ内の適宜収容物をより安定的に保持できるようになると共に使い勝手の優れたものとなる。
【０００８】
また、請求項２のシート押え付見出し部を有するファイルによれば、シート押え片３の下部に於いて、ファイル本体Ｂの表シート１０と干渉する部分が底縁がわに行くに従って漸次小さくなり、シート押え片３の下部が折れ曲がったりする虞の少ないものとなると共に、表シート１０の傾斜逃縁３ａ近傍部分をスムーズに且つ大きく開き易いものとなる。
【発明を実施するための最良の形態】
【０００９】
以下、本発明を説明すると、次の通りである。
本発明のシート押え付見出し部を有するファイルは、略重合可能な状態となる表シート１０と裏シート１１とを備え、この表シート１０と裏シート１１の一方の側縁部分と底縁部分（底縁部分の一部でも良い）とを夫々連設してなるファイル本体Ｂと、このファイル本体Ｂの裏シート１１の他方の側縁部分に連設されるシート押え付見出し部Ａとからなるものである。
そして、前記シート押え付見出し部Ａは、略細長帯板状の表片１の他方の側縁に折曲線４を介して略細長帯板状の裏片２を連設すると共に、裏片２を表片１の裏面がわに折返すようにして形成される見出し部本体と、表片１の一方の側縁に連設される可撓性を備えたシート押え片３とによって構成されている。
また、シート押え片３は、表シート１０の他方の側縁部分の表面がわに配置されるように形成されている。
それから、前記見出し部本体は、表片１及び裏片２の一方の側縁部分と底縁部分に、適宜溶着手段（ヒートシール）等による溶着部５を形成する。
更に、表片１と裏片２の底縁部分に対して略平行となるような複数の切込線７を所定間隔毎に配すると共に、この切込線７の上がわ端縁部分夫々に適宜溶着手段による溶着部５を設けることにより、見出し小片が夫々収容可能となるような複数の収容小ポケット６を設ける。
加えて、複数の収容小ポケット６の一方の側縁部分に沿って切込破線８を設け、この切込破線８を利用して任意の収容小ポケット６を切離せるように構成されている。
また、シート押え片３の一方の側縁下部は、斜めにカットするような傾斜逃縁３ａとしてある。すなわち、シート押え片３の下部に於いて、ファイル本体Ｂの表シート１０とシート押え片３との干渉部分を底縁がわに行くに従って漸次小さくして、シート押え片３の下部が折れ曲がったりするのを抑制すると共に、表シート１０の傾斜逃縁３ａ近傍部分をスムーズに且つ大きく開き易く形成してある。
【実施例】
【００１０】
図に示すシート押え付見出し部を有するファイルは、例えば、無色或いは着色され、透明或いは半透明の適宜合成樹脂製の一枚のシート基材によって構成されるもので、このシート基材は、略矩形状の表シート１０と、この表シート１０の（一方の）側縁に折曲線１２を介して連設されると共に、表シート１０に重合するような略矩形状の裏シート１１と、この裏シート１１の他方の側縁に連設される略細長矩形の裏片２と、この裏片２の他方の側縁に折曲線４を介して連設されると共に、裏片２に重合可能となるような略細長矩形状の表片１と、この表片１の（一方の）側縁に連設される（或いは、折目線を介して連設される）略細長状のシート押え片３とからなっている（図３参照）。ところで、一方の側縁或いは他方の側縁とあるのは、ファイルの完成状態（図１、図２）に於いて、その折曲線１２がわを一方とし、折曲線４がわを他方として説明している。
【００１１】
前記シート押え付見出し部Ａは、ファイル本体Ｂの他方の側縁に突出するように形成される見出し部本体と、ファイル本体Ｂの他方の側縁がわ部分を覆うように配されるシート押え片３とからなり、このシート押え片３によってファイル本体Ｂの表シート１０が不意の外力（或いは、ファイル本体Ｂ内の適宜収容物の重量）等によって簡単に開くことがないように構成されている。
【００１２】
前記表片１は、例えば、ファイル本体Ｂの表シート１０や裏シート１１の他方の側縁と同程度の長さに形成され、その幅は、収容小ポケット６に収容される見出し小片の幅より稍大きく設定される。尚、表片１は、部分的に透明に形成したものであっても良い。すなわち、見出し小片の表示が外部から視認できるように形成されたものであれば良い。
【００１３】
前記裏片２は、例えば、ファイル本体Ｂの表シート１０や裏シート１１の他方の側縁と同程度の長さに形成され、その幅も表片１の幅と同程度に設定され、その他方の側縁部分が折曲線４を介して表片１に連設され、その一方の側縁部分が裏シート１１に連設されている。
【００１４】
前記シート押え片３は、例えば、その長さがファイル本体Ｂの表シート１０の他方の側縁より稍短く形成されると共に、上端寄りに配され、その幅は、表片１の幅より僅かに大きくなるように設定されている。すなわち、表シート１０の他方の側縁部分を上端から下端近傍まで安定的に押えられるように形成してある。しかも、シート押え片３は、手指が掛け易くなるように形成してある。
尚、シート押え片３は、ある程度の可撓性を備えており、シート押え片３自体が無理なく変形できるように形成されている。すなわち、表シート１０の上から離れるようにシート押え片３を変形（移動）させて、表シート１０を開き易くできるように形成してある。
更に、シート押え片３に複数の折目筋を設けて、シート押え片３をより無理なく変形させられるよう形成しても良い（図示せず）。
ところで、シート押え片３の上端部分には、略１／４円状の切欠部分が設けてあり、表シート１０の他方の側縁部分の上隅にある角部が、シート押え片３の下にスムーズに潜り込み易くなるように形成されている。
【００１５】
前記傾斜逃縁３ａは、例えば、シート押え片３の一方の下部側縁部分を斜めにカットするようにして設けられた（下方に行くに従ってその幅が漸次短くなるような傾斜状態となる）もので、ファイル本体Ｂの表シート１０と干渉する部分を底縁がわに行くに従って漸次小さくして、シート押え片３の下部が折れ曲がったりする虞の少ないものとすると共に、表シート１０の傾斜逃縁３ａ近傍部分をスムーズに且つ大きく開き易いものとしている。加えて、表片１の一方の側縁部分に於いて、その底端部分にシート押え片３を配してないことも、表シート１０の傾斜逃縁３ａ近傍部分をスムーズに且つ大きく開き易いものとしている。
【００１６】
前記折曲線４は、例えば、表片１と裏片２を連設するもので、一本の直線状の折曲筋によって形成されている。尚、折曲線４は、複数の折曲筋によって形成し、比較的厚みのある見出し小片を無理なく差し込み収容できるようにしても良い。
【００１７】
前記溶着部５は、例えば、シート押え付見出し部Ａの表片１と裏片２の一方の側縁部分を溶着したり、シート押え付見出し部Ａの表片１と裏片２の底縁部分を溶着したり、シート押え付見出し部Ａの表片１と裏片２の複数の収容小ポケット６の下端部分夫々を溶着したり、ファイル本体Ｂの表シート１０と裏シート１１の底縁部分を溶着したりするためにヒートシール手段等によって設けられている。
【００１８】
前記収容小ポケット６は、夫々に見出し小片が差込めるように形成されている。しかも、見出し小片の差込や引抜がより容易に行えるように、収容小ポケット６夫々の表片１上部に略半円状の切欠凹部９が夫々切設されている。
【００１９】
前記切込線７は、表片１及び裏片２に水平に切設されると共に、シート押え付見出し部Ａを長手方向に沿って複数（例えば、５個）に分割するように配されている。
【００２０】
前記切込破線８は、例えば、ミシン目状を呈し、複数の収容小ポケット６の一方の側縁部分に沿うように形成されている。しかも、切込破線８は、手指によって（或いは、ハサミやカッター等を利用しても良い）強制的に破断できるように形成され、任意の収容小ポケット６を適数切離せるように構成されたものである。
【００２１】
前記ファイル本体Ｂは、例えば、略矩形状の表シート１０と、この表シート１０の一方の側縁部分に折曲線１２を介して連設される略矩形状の裏シート１１とで構成され、この表シート１０及び裏シート１１の底縁部分を溶着部５で溶着して、上方と、他方の側縁部分が開放された状態となるように形成されている。
【００２２】
前記折曲線１２は、例えば、一本の直線状の折曲筋によって形成されているが、複数の折曲筋によって形成したり、略細長帯板状の背板等で形成したりしても良い。すなわち、比較的多くの収容物が収容できるように形成したものであっても良い。
【００２３】
ところで、シート押え付見出し部Ａの具体的構成、形状、寸法、材質、表片１の具体的構成、形状、寸法、材質、裏片２の具体的構成、形状、寸法、材質、シート押え片３の具体的構成、形状、寸法、材質、傾斜逃縁３ａの具体的構成、形状、寸法、折曲線４の具体的構成、形状、寸法、溶着部５の具体的構成、形状、寸法、配設位置、収容小ポケット６の具体的構成、形状、寸法、数、切込線７の具体的構成、形状、寸法、配設位置、切込破線８の具体的構成、形状、寸法、配設位置、数、切欠凹部９の具体的構成、形状、寸法、配設位置、ファイル本体Ｂの具体的構成、形状、寸法、材質、表シート１０の具体的構成、形状、寸法、材質、裏シート１１の具体的構成、形状、寸法、材質、折曲線１２の具体的構成、形状、寸法等は、図示例のもの等に限定されることなく適宜自由に設定、変更できるものである。
【図面の簡単な説明】
【００２４】
【図１】本発明のファイルを例示する正面図である。
【図２】本発明のファイルを例示する斜視図である。
【図３】本発明のファイルのシート基材を例示する展開図である。
【符号の説明】
【００２５】
Ａ      シート押え付見出し部
１      表片
２      裏片
３      シート押え片
３ａ    傾斜逃縁
４      折曲線
５      溶着部
６      収容小ポケット
７      切込線
８      切込破線
９      切欠凹部
Ｂ      ファイル本体
１０    表シート
１１    裏シート
１２    折曲線
【図１】
2008207525.tif 000003
【図２】
2008207525.tif 000004
【図３】
2008207525.tif 000005